(57)【要約】  【課題】  電気部品の電極の位置が変化した場合でも容易に対応できると共に、操作性が良好な電気部品用ソケットを提供する。  【解決手段】  配線基板上に配置される複数の電気部品接触体１５，１６を有し、該電気部品接触体１５，１６上に液晶デバイス１２が収容され、液晶デバイス１２と電気部品接触体１５，１６とが電気的に接続される電気部品用ソケット１１であって、各電気部品接触体１５，１６は、接触体本体２１と、この接触体本体２１に配設され、液晶表示パネル電極１２ｂに電気的に接続されるコンタクトピン２２と、接触体本体２１に配設され、コンタクトピン２２を弾性変形させる操作部材２３とを有し、各電気部品接触体１５，１６の各操作部材２３が操作部材用連結棒２３ｇにより連結されて、各操作部材２３が同時に作動されるようにした。【選択図】    図１
2006049001.tif 000002
【特許請求の範囲】
【請求項１】
配線基板上に配置される複数の電気部品接触体を有し、該電気部品接触体上に電気部品が収容され、該電気部品と前記電気部品接触体とが電気的に接続される電気部品用ソケットであって、
前記各電気部品接触体は、前記電気部品を収容する接触体本体と、該接触体本体に配設され、前記電気部品の電極に電気的に接続されるコンタクトピンと、前記接触体本体に配設され、前記コンタクトピンを弾性変形させる操作部材とを有し、
該各電気部品接触体の各操作部材が操作部材用連結部材により連結されて、前記各操作部材が同時に作動されるように構成したことを特徴とする電気部品用ソケット。
【請求項２】
前記各電気部品接触体には、異なる本数のコンタクトピンが配設されたことを特徴とする請求項１に記載の電気部品用ソケット。
【請求項３】
前記操作部材は、基端部が前記接触体本体に回動自在に設けられると共に、該基端部に前記コンタクトピンの操作片が係止される係止部が形成され、該操作部材が回動されることにより、前記操作片が変位させられるように構成されたことを特徴とする請求項１又は２に記載の電気部品用ソケット。
【請求項４】
前記操作部材を回動させて前記コンタクトピンを前記電気部品電極から離間させた位置で、該操作部材に係止して停止状態とするロック部材を設けたことを特徴とする請求項１乃至３の何れか一つに記載の電気部品用ソケット。
【請求項５】
前記ロック部材は、前記接触体本体に回動自在に設けられ、前記操作部材の被フック部に引っ掛けられるフック部が形成されたことを特徴とする請求項４に記載の電気部品用ソケット。
【請求項６】
前記各電気部品接触体の各ロック部材が前記ロック部材用連結部材により連結されて、各ロック部材が同時に作動されるように構成したことを特徴とする請求項５に記載の電気部品用ソケット。
【請求項７】
前記電気部品をガイドするガイド部材を有し、該ガイド部材が前記配線基板の前記電気部品接触体と離間した位置に配設されるようにしたことを特徴とする請求項１乃至６の何れか一つに記載の電気部品用ソケット。
【発明の詳細な説明】
【技術分野】
【０００１】
この発明は、液晶表示パネル、エレクトロルミネセンスパネル、プラズマディスプレイパネルや半導体集積回路（ＩＣ）等の電気部品に対して通電したり、表示パネルの表示品位などの検査、あるいはＩＣの動作確認などの検査に好適に用いることができる電気部品用ソケットに関するものである。
【背景技術】
【０００２】
一般に、液晶表示パネル等の液晶デバイスやプラズマ放電パネルなどの各種の電気部品としての表示パネルは、配線基板上に多数の電極を備えている。このため、表示パネルの製造工程においては、駆動用ＩＣタブなどの周辺回路接続前の表示パネルに対して、表示欠陥個所や表示品位などの検査が行われる。
【０００３】
この種の表示パネルの表示あるいは性能などを検査する場合、表示パネルに駆動用の電力を供給するための表示パネル検査用ソケットと称されるコンタクト部材を備えた電気部品用ソケットが使用されている。
【０００４】
かかる電気部品用ソケットとしては、例えば特許文献１に記載されたようなものがある。これは、四角形の表示パネルの周縁部に、奇数列電極用パッド、偶数列電極用パッド、共通電極用パッド等が設けられ、これら各パッドに、それぞれ電気部品用ソケットが装着されるようになっている。
【０００５】
これら各電気部品用ソケットは、駆動手段を操作することにより、押圧部を駆動させて表示パネル周縁部を挟持し、表示パネル側の各パッドに接触子を接触させるようにしている。
【特許文献１】特開２０００ー１７１５０７号公報。
【発明の開示】
【発明が解決しようとする課題】
【０００６】
しかしながら、このような従来のものにあっては、各電気部品検査用ソケットが各々独立しており、各ソケットで表示パネル周縁部を挟持する場合には、駆動手段をそれぞれ操作しなければならず、複数の駆動手段を同時に操作するのは大変であり、操作性が悪いものであった。
【０００７】
そこで、この発明は、電気部品の電極の位置が変化した場合でも容易に対応できると共に、操作性が良好な電気部品用ソケットを提供することを課題としている。
【課題を解決するための手段】
【０００８】
かかる課題を達成するために、請求項１に記載の発明は、配線基板上に配置される複数の電気部品接触体を有し、該電気部品接触体上に電気部品が収容され、該電気部品と前記電気部品接触体とが電気的に接続される電気部品用ソケットであって、前記各電気部品接触体は、前記電気部品を収容する接触体本体と、該接触体本体に配設され、前記電気部品の電極に電気的に接続されるコンタクトピンと、前記接触体本体に配設され、前記コンタクトピンを弾性変形させる操作部材とを有し、該各電気部品接触体の各操作部材が操作部材用連結部材により連結されて、前記各操作部材が同時に作動されるように構成した電気部品用ソケットとしたことを特徴とする。
【０００９】
請求項２に記載の発明は、請求項１に記載の構成に加え、前記各電気部品接触体には、異なる本数のコンタクトピンが配設されたことを特徴とする。
【００１０】
請求項３に記載の発明は、請求項１又は２に記載の構成に加え、前記操作部材は、基端部が前記接触体本体に回動自在に設けられると共に、該基端部に前記コンタクトピンの操作片が係止される係止部が形成され、該操作部材が回動されることにより、前記操作片が変位させられるように構成されたことを特徴とする。
【００１１】
請求項４に記載の発明は、請求項１乃至３の何れか一つに記載の構成に加え、前記操作部材を回動させて前記コンタクトピンを前記電気部品電極から離間させた位置で、該操作部材に係止して停止状態とするロック部材を設けたことを特徴とする。
【００１２】
請求項５に記載の発明は、請求項４に記載の構成に加え、前記ロック部材は、前記接触体本体に回動自在に設けられ、前記操作部材の被フック部に引っ掛けられるフック部が形成されたことを特徴とする。
【００１３】
請求項６に記載の発明は、請求項５に記載の構成に加え、前記各電気部品接触体の各ロック部材が前記ロック部材用連結部材により連結されて、各ロック部材が同時に作動されるように構成したことを特徴とする。
【００１４】
請求項７に記載の発明は、請求項１乃至６の何れか一つに記載の構成に加え、前記電気部品をガイドするガイド部材を有し、該ガイド部材が前記配線基板の前記電気部品接触体と離間した位置に配設されるようにしたことを特徴とする。
【発明の効果】
【００１５】
請求項１に記載の発明によれば、複数の電気部品接触体は、配線基板上に取り付けられ、電気部品を収容する接触体本体と、接触体本体に配設され、電気部品の電極に電気的に接続されるコンタクトピンと、接触体本体に配設され、コンタクトピンを弾性変形させる操作部材とを有し、各電気部品接触体の各操作部材が操作部材用連結部材により連結されて、各操作部材が同時に作動されるように構成したため、電気部品の電極の位置が、電気部品により相違する場合、これに対応させて、電気部品接触体及びガイド部材の位置を適宜設定して配置する。これにより、電気部品の大きさや電極の位置が異なるものでも、分割された電気部品接触体等を用意することにより、部品点数を増加させることなく、検査等が可能となる。
【００１６】
また、各電気部品接触体に操作部材を設け、各操作部材を操作部材用連結部材により連結しているため、一ヶ所の操作部材を操作することにより、全ての操作部材を回動させることができることから、操作性を良好にすることができる。
【００１７】
請求項３に記載の発明によれば、操作部材を回動させることにより、容易にコンタクトピンを弾性変形させて操作片を変位させることができる。
【００１８】
請求項４に記載の発明によれば、操作部材を回動させてコンタクトピンを電気部品電極から離間させた位置で、この操作部材に係止して停止状態とするロック部材を設けたため、このロック部材にて操作部材を開位置で停止状態とすることにより、作業者が操作部材を押しながら、電気部品を収容する必要がないことから、作業性を良好にできる。
【００１９】
請求項６に記載の発明によれば、各電気部品接触体の各ロック部材がロック部材用連結部材により連結されて、各ロック部材が同時に作動されるように構成したため、一ヶ所のロック部材を操作することにより、全てのロック部材を回動させることができることから、この点においても操作性を良好にすることができる。
【発明を実施するための最良の形態】
【００２０】
以下、この発明の実施の形態について説明する。
【００２１】
図１乃至図３には、この発明の実施の形態を示す。
【００２２】
まず構成を説明すると、図中符号１１は電気部品用ソケットで、このソケット１１は、「電気部品」である液晶デバイス１２の、表示欠陥個所や表示品位などの検査を行うために、この液晶デバイス１２の複数の電極１２ｂと、測定器（テスター）の配線基板１３との電気的接続を図るものである。
【００２３】
この液晶デバイス１２は、図１及び図２に示すように、検査時点では複数連続した状態となっており、ここでは２個連続して形成されている。この液晶デバイス１２は、フラット形の方形のパネル本体１２ａの１辺に、複数の電極１２ｂが並んで形成されている。詳しくは、これら複数の電極１２ｂは、ここでは、Ａ，Ｂ，Ｃの３組設けられ、両側のＡ組とＣ組はそれぞれ走査線用で電極１２ｂが１２本設けられ、中央のＢ組は電源用で電極１２ｂが３本設けられている。
【００２４】
一方、電気部品用ソケット１１は、図１に示すように、配線基板１３上に配置される計４つの電気部品接触体１５と計２つの電気部品接触体１６とを有すると共に、配線基板１３上に配置される複数のガイド部材１７，１８とを有している。ここでは、１個の液晶デバイス１２に対応して、この２つの電気部品接触体１５と１つの電気部品接触体１６が配置されている。
【００２５】
その電気部品接触体１５，１６は、配線基板１３上に取り付けられる接触体本体２１と、この接触体本体２１に配設され、液晶デバイス１２の電極１２ｂに電気的に接続されるコンタクトピン２２と、接触体本体２１に配設され、そのコンタクトピン２２を弾性変形させる操作部材２３とを有している。
【００２６】
また、一方の電気部品接触体１５には、操作部材２３を回動させてコンタクトピン２２を液晶表示パネル電極１２ｂから離間させた位置で、操作部材２３に係止して停止状態とするロック部材２４が設けられている。なお、他方の電気部品接触体１６には、ロック部材２４は設けられていない。
【００２７】
その接触体本体２１には、上面に液晶デバイス１２が搭載される搭載面２１ａが形成されると共に、図２に示すように、下面から嵌合ピン２１ｂが突設され、これら嵌合ピン２１ｂが図２及び図３に示すように配線基板１３の嵌合孔１３ａに嵌合されることにより、所定の位置に取り付けられるようになっている。また、各電気部品接触体１５，１６の内、図１中、一番右側の電気部品接触体１５の接触体本体２１には、液晶デバイス１２の角部を案内するガイド部２１ｃが一体成形されている。このガイド部２１ｃは、傾斜面２１ｄと鉛直面２１ｅとを有し、液晶デバイス１２の収容時に傾斜面２１ｄにて鉛直面２１ｅまで案内すると共に、鉛直面２１ｅにより液晶デバイス１２を所定の位置に位置決めするようにしている。
【００２８】
また、コンタクトピン２２は、導電性を有する金属材料が打ち抜きにより形成され、長板状のベース部２２ａを有し、このベース部２２ａから下方に向けてリード部２２ｂが突設され、このリード部２２ｂが接触体本体２１の圧入孔２１ｆに圧入され、ベース部２２ａから下方に突出した部分が、図２に示す配線基板１３の挿通孔１３ｂに挿通されて半田付けされることにより導通されるように構成されている。
【００２９】
さらに、そのコンタクトピン２２は、ベース部２２ａから略Ｓ字状に折れ曲がるばね部２２ｃが延長され、更に、このばね部２２ｃの端部から二股状に接触片２２ｄ及び操作片２２ｅが延長されている。この接触片２２ｄは、先端部側が略への字状に折れ曲がり、先端部に液晶表示パネル電極１２ｂに接触されて電気的に接続される接触部２２ｆが形成されている。
【００３０】
これらコンタクトピン２２は、両側の電気部品接触体１５に１２本、中央の電気部品接触体１６に３本それぞれ配設されている。
【００３１】
一方、操作部材２３は、図２に示すように、基端部２３ａが接触体本体２１に回動軸２５を介して回動自在に設けられると共に、この基端部２３ａ側にコンタクトピン２２の操作片２２ｅが挿入されて係止される「係止部」としての係止孔２３ｂが形成されている。そして、この操作部材２３の先端部２３ｃが押圧されて回動されることにより、操作片２２ｅが時計回りに回動されて変位させられて弾性変形され、接触片２２ｄが図２中二点鎖線に示すように、液晶表示パネル電極１２ｂから離間されるように構成されている。
【００３２】
また、操作部材２３は、接触体本体２１との間にスプリング２６が介在され、このスプリング２６により反時計回りに付勢されていると共に、この操作部材２３には、先端部２３ｃ側に挿入孔２３ｄが形成され、この挿入孔２３ｄ内にロック部材２４が係止される「被フック部」としての係止凸部２３ｅが突設されている。
【００３３】
さらに、この操作部材２３の先端部２３ｃには、水平方向に沿う貫通孔２３ｆが形成され、各電気部品接触体１５，１６の操作部材２３の貫通孔２３ｆに「操作部材用連結部材」としての操作部材用連結棒２３ｇが挿通されて連結されることにより、各操作部材２３が同時に作動されるように構成されている。
【００３４】
一方、ロック部材２４は、基端部２４ａが接触体本体２１に回動軸２７により回動自在に設けられ、スプリング２８により図２中反時計回りに付勢され、接触体本体２１のストッパ部２１ｇに当接することにより、図２に示す位置で停止されるように構成されている。また、このロック部材２４には、操作部材２３の係止凸部２３ｅに引っ掛けられるフック部２４ｂが形成され、操作部材２３を図    中二点鎖線に示す位置まで回動させた状態で、ロック部材２４のフック部２４ｂが操作部材２３の係止凸部２３ｅに引っ掛けられて係止されるようになっている。これにより、コンタクトピン２２の接触部２２ｆを液晶表示パネル電極１２ｂから離間させた状態で、操作部材２３が停止されるようになっている。
【００３５】
また、このロック部材２４には、図２中略水平方向に延びるロック解除片２４ｃが形成され、このロック解除片２４ｃの先端部に略水平方向に沿う貫通孔２４ｄが形成され、この貫通孔２４ｄに「ロック部材用連結部材」としてのロック部材用連結棒２４ｅが挿通されることにより、各電気部品接触体１５の各ロック部材２４が連結されるように構成されている。これにより、各ロック部材２４が同時に作動されるようになっている。
【００３６】
一方、ガイド部材１７，１８には、液晶デバイス１２のパネル本体１２ａの周縁部が搭載される搭載面１７ａ，１８ａが形成されると共に、液晶デバイス１２のパネル本体１２ａの周縁部をガイドする傾斜面１７ｂ，１８ｂ及び鉛直面１７ｃ，１８ｃが形成されている。また、これらガイド部材１７，１８には、下方に突出する嵌合ピン１７ｄが形成され、これら嵌合ピン１７ｄが配線基板１３に形成された嵌合孔１３ｃに嵌合されて所定の位置に取り付けられるようになっている。また、ガイド部材１７は、液晶デバイス１２の角部をガイドするように構成され、他の３つのガイド部材１８は、液晶デバイス１２の一辺側をガイドするように構成されている。
【００３７】
次に、液晶デバイス１２の検査を行う場合について説明する。
【００３８】
まず、予め、各電気部品接触体１５，１６及びガイド部材１７，１８を図１に示すように、配線基板１３上の所定位置に配設すると共に、各連結棒２３ｇ，２４ｅで、各操作部材２３、各ロック部材２４を連結する。この際には、各電気部品接触体１５，１６及びガイド部材１７，１８の位置は、液晶デバイス１２の大きさや、電極１２ｂの位置に対応させて所定の位置に配設する。
【００３９】
また、各電気部品接触体１５，１６及びガイド部材１７，１８の間に、図２中二点鎖線に示すように、バックライト３１を配設する。
【００４０】
この状態から、電気部品用ソケット１１に液晶デバイス１２を収容する。この際には、操作部材２３の先端部２３ｃを下方に向けて押圧することにより、スプリング２６の付勢力に抗して操作部材２３を図１中二点鎖線に示す位置まで回動させる。この操作部材２３の回動により、コンタクトピン２２の操作片２２ｅが引っ張られて図中二点鎖線に示す位置まで可動され、接触部２２ｆが、液晶デバイス１２の収容・取出し時に、この液晶デバイス１２と干渉しない位置まで変位させられる。
【００４１】
この場合には、各操作部材２３が操作部材用連結棒２３ｇにより連結されているため、一ヶ所を押圧することにより、全ての操作部材２３を同時に回動させることができる。
【００４２】
この操作部材２３が図２中二点鎖線に示す位置まで回動される際には、この操作部材２３の係止凸部２３ｅの傾斜面２３ｈが、ロック部材２４のフック部２４ｂの傾斜面２４ｆを摺動することにより、このロック部材２４がスプリング２８の付勢力に抗して時計回りに回動され、操作部材２３の係止凸部２３ｅの傾斜面２３ｈが、ロック部材２４のフック部２４ｂの傾斜面２４ｆを乗り越えることにより、操作部材２３の係止凸部２３ｅが、ロック部材２４のフック部２４ｂに係止される。これにより、操作部材２３が図中二点鎖線に示す位置で停止状態とされる。
【００４３】
この状態で、各電気部品接触体１５，１６の搭載面２１ａ及びガイド部材１７，１８の搭載面１７ａ，１８ａに、液晶デバイス１２を搭載する。この際には、液晶デバイス１２は、ガイド部２１ｃ及びガイド部材１７，１８の傾斜面２１ｄ，１７ｂ,１８ｂ及び鉛直面２１ｅ，１７ｃ，１８ｃにより所定の位置に案内されて収容される。
【００４４】
次いで、ロック部材２４を図２に示す状態からスプリング２８の付勢力に抗して時計回りに回動させることにより、このロック部材２４のフック部２４ｂを、操作部材２３の係止凸部２３ｅから外す。
【００４５】
このロック部材２４は、４つの電気部品接触体１５に設けられており、他の２つの電気部品接触体１６には設けられていないが、全ての操作部材２３が操作部材用連結棒２３ｇにて連結されているため、各操作部材２３の内の少なくとも一つをロック部材２４にてロックすれば良く、全ての電気部品接触体１５，１６に対して配設する必要はない。
【００４６】
このロック部材２４のフック部２４ｂが、操作部材２３の係止凸部２３ｅから離脱させられると、操作部材２３は、スプリング２６及びコンタクトピン２２の付勢力にて、図２中二点鎖線に示す位置から実線に示す位置まで、反時計回りに回動させられ、コンタクトピン２２の接触部２２ｆが、液晶デバイス１２の電極１２ｂに接触させられて電気的に接続される。この状態で、液晶デバイス１２の表示品位などの検査が行われる。
【００４７】
このようなものにあっては、液晶デバイス１２の電極１２ｂの位置が、液晶デバイス１２により相違する場合、これに対応させて、電気部品接触体１５，１６及びガイド部材１７，１８の位置を適宜設定して配置する。これにより、液晶デバイス１２の大きさや電極１２ｂの位置が異なるものでも、分割された電気部品接触体１５，１６等を用意することにより、部品点数を増加させることなく、検査が可能となる。
【００４８】
また、各電気部品接触体１５，１６に操作部材２３を設け、各操作部材２３を操作部材用連結棒２３ｇにより連結しているため、一ヶ所の操作部材２３を操作することにより、全ての操作部材２３を回動させることができることから、操作性を良好にすることができる。
【００４９】
さらに、ロック部材２４を設けることにより、操作部材２３を開状態で停止させることができるため、作業者が操作部材２３を押しながら、液晶デバイス１２を収容する必要がないことから、作業性を良好にできる。
【００５０】
さらにまた、これらロック部材２４も、ロック部材用連結棒２４ｅにて連結しているため、一ヶ所のロック部材２４を操作することにより、全てのロック部材２４を回動させることができることから、この点においても操作性を良好にすることができる。
【００５１】
なお、コンタクトピンの形状等は上記実施の形態のものに限らず、操作部材により弾性変形させられて、接触部が液晶表示パネル電極から離間されるようなものであれば形状は如何なるものでもよい。また、操作部材も上記実施の形態のように回動式のものでなく、上下動式のものでも良い。さらに、「電気部品」としては、液晶デバイス１２に限らず、エレクトロルミネセンスパネル、プラズマディスプレイパネルや半導体集積回路（ＩＣ）等でも良い。
【図面の簡単な説明】
【００５２】
【図１】この発明の実施の形態に係る電気部品用ソケットの平面図である。
【図２】同実施の形態に係る図１のＡ−Ａ線に沿う断面図である。
【図３】同実施の形態に係る電気部品用ソケットが配設される配線基板の一部平面図である。
【符号の説明】
【００５３】
11  電気部品用ソケット
12  液晶デバイス（電気部品）
12a パネル本体
12b 電極
13  配線基板
15,16 電気部品接触体
17,18 ガイド部材
21  接触体本体
22  コンタクトピン
22c ばね部
22f 接触部
23  操作部材
23a 基端部
23b 係止孔（係止部）
23e 係止凸部（被フック部）
23g 操作部材用連結棒（操作部材用連結部材）
24  ロック部材
24a 基端部
24b フック部
24e ロック部材用連結棒（ロック部材用連結部材）
【図１】
2006049001.tif 000003
【図２】
2006049001.tif 000004
【図３】
2006049001.tif 000005